(57)【要約】  【課題】  ばねに付勢力を与えるための押さえ板が不要な回転磁気ヘッド装置を提供する。  【解決手段】  磁気ヘッド１を有する回転シリンダ２と、該回転シリンダ２に対して同心状に配置された固定シリンダ４と、前記固定シリンダ４の中央部に一体形成したボス部４ａのシャフト挿通孔６に挿通されたシャフト８と、前記固定シリンダ４の下面に固定され該固定シリンダ４と前記回転シリンダ２の側面を跨ぐように配置された断面コの字型の連結枠９と、該連結枠９に前記回転シリンダ２の回転方向に対して平行に取り付けられた連結板１０と、前記回転シリンダ２の上部に止着したロータプレート２３の内面に取り付けた環状のマグネット１１と、前記固定シリンダ４に前記連結枠９及び連結板１０を介して吊り下げ支持され前記ロータプレート２３内に配置したホルダー２５と、該ホルダー２５に取り付けられた同心円状のステータ２３と、該ステータ２３の周囲に放射状に並んで設けられ前記マグネット１１の内周と全周で対向する複数のボビン３６と、該ボビン３６に巻き付けられた３系統の導線３７，３８，３９と、前記ホルダー２５の中心を前記シャフト８と同軸に貫通する貫通孔２５ａに挿入されたアースブラシ２６と、前記ホルダー２５の貫通孔２５ａに挿入され前記アースブラシ２６の下端面頂部を前記シャフト８の上端面に付勢するばね２７と、前記連結板１０上に配置・固定され前記導線３７，３８，３９が結線されるプリント基板３と、該プリント基板３の裏面に前記マグネットの円周部分の真上に位置して実装されたＰＧ検出用インダクタ４５と、を備えた回転磁気ヘッド装置において、ビス１８により前記連結板１０に対して、上から前記プリント基板３を、下から前記ホルダー２５及び前記ステータ３２を一体に固定するとともに、前記連結板１０の下面により前記ばね２７を付勢することを特徴とする。【選択図】      図１
0003101608.tif 000002
【実用新案登録請求の範囲】
【請求項１】
磁気ヘッドを有する回転シリンダと、該回転シリンダに対して同心状に配置された固定
シリンダと、前記固定シリンダの中央部に一体形成したボス部のシャフト挿通孔に挿通さ
れたシャフトと、前記固定シリンダの下面に固定され該固定シリンダと前記回転シリンダ
の側面を跨ぐように配置された断面コの字型の連結枠と、該連結枠に前記回転シリンダの
回転方向に対して平行に取り付けられた連結板と、前記回転シリンダの上部に止着したロ
ータプレートの内面に取り付けた環状のマグネットと、前記固定シリンダに前記連結枠及
び連結板を介して吊り下げ支持され前記ロータプレート内に配置したホルダーと、該ホル
ダーに取り付けられた同心円形状のステータと、該ステータの周囲に放射状に並んで設け
られ前記マグネットの内周と全周で対向する複数のボビンと、該ボビンに巻き付けられた
３系統の導線と、前記ホルダーの中心を前記シャフトと同軸に貫通する貫通孔に挿入され
たアースブラシと、前記ホルダーの貫通孔に挿入され前記アースブラシの下端面頂部を前
記シャフトの上端面に付勢するばねと、前記連結板上に配置・固定され前記導線が結線さ
れるプリント基板と、該プリント基板の裏面に前記マグネットの円周部分の真上に位置し
て実装されたＰＧ検出用インダクタと、を備えた回転磁気ヘッド装置において、
ビスにより前記連結板に対して、上から前記プリント基板を、下から前記ホルダー及び
前記ステータを一体に固定するとともに、前記連結板の下面により前記ばねを付勢するこ
とを特徴とする回転磁気ヘッド装置。
【請求項２】
磁気ヘッドを有する回転シリンダと、該回転シリンダに対して同心状に配置された固定
シリンダと、前記固定シリンダの中央部に一体形成したボス部のシャフト挿通孔に挿通さ
れたシャフトと、前記固定シリンダの下面に固定され該固定シリンダと前記回転シリンダ
の側面を跨ぐように配置された断面コの字型の連結枠と、該連結枠に前記回転シリンダの
回転方向に対して平行に取り付けられた連結板と、前記回転シリンダの上部に止着したロ
ータプレートの内面に取り付けた環状のマグネットと、前記固定シリンダに前記連結枠及
び連結板を介して吊り下げ支持され前記ロータプレート内に配置したホルダーと、該ホル
ダーに取り付けられた固定コイルと、前記ホルダーの中心を前記シャフトと同軸に貫通す
る貫通孔に挿入されたアースブラシと、前記ホルダーの貫通孔に挿入され前記アースブラ
シの下端面頂部を前記シャフトの上端面に付勢するばねと、前記連結板上に配置・固定さ
れ前記固定コイルが接続されるプリント基板と、を備えた回転磁気ヘッド装置において、
ビスにより前記連結板に対して、上から前記プリント基板を、下から前記ホルダー及び
前記固定コイルを一体に固定するとともに、前記連結板の下面により前記ばねを付勢する
ことを特徴とする回転磁気ヘッド装置。
【請求項３】
磁気ヘッドを有する回転シリンダと、該回転シリンダに対して同心状に配置された固定
シリンダと、前記固定シリンダの中央部に一体形成したボス部のシャフト挿通孔に挿通さ
れたシャフトと、前記固定シリンダに固定され前記回転シリンダの回転方向に対して平行
に取り付けられた連結板と、前記回転シリンダの上部に止着したロータプレートの内面に
取り付けた環状のマグネットと、前記固定シリンダに前記連結板を介して吊り下げ支持さ
れ前記ロータプレート内に配置したホルダーと、該ホルダーに取り付けられた固定コイル
と、前記ホルダーの中心を前記シャフトと同軸に貫通する貫通孔に挿入されたアースブラ
シと、前記ホルダーの貫通孔に挿入され前記アースブラシの下端面頂部を前記シャフトの
上端面に付勢するばねと、前記連結板上に配置・固定され前記固定コイルが接続されるプ
リント基板と、を備えた回転磁気ヘッド装置において、
ビスにより前記連結板に対して、上から前記プリント基板を、下から前記ホルダー及び
前記固定コイルを一体に固定するとともに、前記連結板の下面により前記ばねを付勢する
ことを特徴とする回転磁気ヘッド装置。
【請求項４】
前記プリント基板の裏面に前記マグネットの円周部分の真上に位置して実装されたＰＧ
検出用インダクタを備えることを特徴とする請求項２又は３に記載の回転磁気ヘッド装置
。
【請求項５】
前記固定コイルは、前記ホルダーに取り付けられた同心円形状のステータと、該ステー
タの周囲に放射状に並んで設けられ前記マグネットの内周と全周で対向する複数のボビン
と、該ボビンに巻き付けられた３系統の導線とを備えたことを特徴とする請求項２〜４の
いずれかに記載の回転磁気ヘッド装置。
【請求項６】
前記ホルダーは、中央部に貫通孔を有する筒部と、下面に円周に沿って形成された環状
壁部とを備えたことを特徴とする請求項５に記載の回転磁気ヘッド装置。
【請求項７】
前記ホルダーの筒部の内面下端部をテーパー形状に絞り加工したことを特徴とする請求
項６に記載の回転磁気ヘッド装置。
【考案の詳細な説明】
【技術分野】
【０００１】
本考案は、例えば磁気テープ装置における再生や記録に用いられる回転磁気ヘッド装置
に関する。
【背景技術】
【０００２】
本考案に関連の従来の回転磁気ヘッド装置が、特許文献１に開示されている。以下、同
文献の回転磁気ヘッド装置について説明する。
【０００３】
図３、図４は従来の回転磁気ヘッド装置を示すものである。磁気ヘッド１を有する回転
シリンダ２と固定シリンダ４とが同心状に配置されている。固定シリンダ４の中央部に一
体形成したボス部４ａの内側には、シャフト８が挿通されるシャフト挿通孔６が形成され
ている。シャフト挿通孔６内には、シャフト８の外周面を支持する上下一対の含油メタル
軸受１５，１６が配置されている。ボス部４ａの下面１８には、シャフト８の下端面を支
持する円形状の例えばＰＰＳ（ポリフェニレンスルフィド）などの合成樹脂板からなるス
ラスト軸受１７が数本（例えば、３本）のビス１９により止着されている。該スラスト軸
受１７の上面には、外径がシャフト挿通孔６の内径とほぼ同一または若干小さく設定され
た環状壁部２０を同心状に一体突設し、該環状壁部２０をシャフト挿通孔６内に嵌入する
ことにより、その環状壁部２０内にオイル溜部２１を形成している。
【０００４】
固定シリンダ４の下面には、断面コの字型の連結枠９が固定されており、該連結枠９は
、固定シリンダ４と回転シリンダ２の側面を跨ぐように配置されている。そして、該連結
枠９には、回転シリンダ２の回転方向に対して平行に連結板１０が取り付けられている。
回転シリンダ２の上方には、駆動モータ２２が設けられている。駆動モータ２２は、回転
シリンダ２の上部に止着したロータプレート２３の内面に取り付けたマグネット１１と、
固定シリンダ４に連結枠９及び連結板１０を介して吊り下げ支持されロータプレート２３
内に配置したホルダー２５に取り付けた固定コイル１２とを有している。
【０００５】
ホルダー２５は、中央部に上下に突出するとともに、シャフト８と同軸に設けられた貫
通孔２５ａを有する筒部２５ｂ，２５ｃを形成し、下側の筒部２５ｃの根元周囲を階段状
にし、同心円状に階段部２５ｄを形成している。そして、筒部２５ｃの側面と、階段部２
５ｄの下端及び側面に当接して、同心円形状のステータ３２を取り付けている。
【０００６】
ステータ３２は、円周に沿って放射状に並ぶ１２個のボビン３６を備えている。ボビン
３６は、２つおきにその４個を一組として導線３７が順々に巻き付けられ、残りの４個、
４個にも同様に別の導線３８，３９が巻き付けられて、固定コイル１２を構成している。
各導線３７，３８，３９の一端は、多角形状に形成されたプリント基板３のヘッド部３１
の外縁に隣接して４カ所に設けられた接点４０〜４３のうちの３つ（すなわち、接点４０
，４１，４２）にそれぞれ半田付けされ、全導線３７〜３９の他端は束ねられて残りの接
点４３に半田付けされる。
【０００７】
プリント基板３は、その末端部４４が連結板１０の板面の外側へはみ出すように連結板
１０上に配置・固定されており、該末端部４４は環状のマグネット１１の円周部分と径方
向に立体交差している。そして、プリント基板３の裏面には、マグネット１１の円周部分
の真上に位置して、ＰＧ検出用インダクタ４５が実装されている。また、末端部４４の末
端には、５つの接点４６〜５０が形成され、プリント基板３上に形成された配線パターン
（図示せず）を介して上記接点４０〜４３及びＰＧ検出用インダクタ４５とそれぞれ電気
的に接続されている。接点４６〜５０には、平行ワイヤー線５１が接続されている。
【０００８】
ホルダー２５の中央部に貫設した貫通孔２５ａには、円柱体状アースブラシ２６とばね
２７が挿入される。そして、連結板１０上には、プリント基板３が配置され、３本のビス
１８により連結板１０に対して、上からプリント基板３が、下からホルダー２５及びステ
ータ３２が一体に固定されている。さらに、プリント基板３上には、円板形状の押さえ板
７が配置され、２本のビス５により連結板１０に対して、上から押さえ板７及びプリント
基板３が、下からホルダー２５が一体に固定されている。これにより、押さえ板７の下面
にばね２７が押さえられ、アースブラシ２６の下端面頂部がシャフト８の上端面にばね２
７により押し付けられている。２４はリング状ロータリートランスである。
【０００９】
上記構成において、駆動モータ２２で回転シリンダ２及びシャフト８を回転させること
により、ばね２７の例えば２００ｇの押付力によりシャフト８の下端面がスラスト軸受１
７に押付けられて支持されるとともに、該シャフト８外周面が両含油メタル軸受１５，１
６により回転可能に支持され、これによって、高速回転される回転シリンダ２と固定シリ
ンダ４の外周面に沿って走向する磁気テープ（図示せず）に対して磁気ヘッド１により情
報が記録再生される。
【特許文献１】実用新案登録第３０９３５３９号公報（第１図）
【考案の開示】
【考案が解決しようとする課題】
【００１０】
しかしながら、上記の構成では、ばね２７に付勢力を与えるための押さえ板７が必要と
なり、連結板１０及びプリント基板３に貫通孔１０ａ，３ａを設ける必要もあって、部品
費及び加工費が高くつく。さらに、連結板１０に対してプリント基板３、ホルダー２５及
びステータ３２及び押さえ板７を固定するために２種類のビス５，１８が必要となり、部
品数が多くなるという問題があった。
【００１１】
本考案は、上記従来の問題に鑑みてなされたものであり、ばねに付勢力を与えるための
押さえ板が不要な回転磁気ヘッド装置を提供することを目的とする。
【課題を解決するための手段】
【００１２】
上記目的を達成するために本考案は、磁気ヘッドを有する回転シリンダと、該回転シリ
ンダに対して同心状に配置された固定シリンダと、前記固定シリンダの中央部に一体形成
したボス部のシャフト挿通孔に挿通されたシャフトと、前記固定シリンダの下面に固定さ
れ該固定シリンダと前記回転シリンダの側面を跨ぐように配置された断面コの字型の連結
枠と、該連結枠に前記回転シリンダの回転方向に対して平行に取り付けられた連結板と、
前記回転シリンダの上部に止着したロータプレートの内面に取り付けた環状のマグネット
と、前記固定シリンダに前記連結枠及び連結板を介して吊り下げ支持され前記ロータプレ
ート内に配置したホルダーと、該ホルダーに取り付けられた同心円形状のステータと、該
ステータの周囲に放射状に並んで設けられ前記マグネットの内周と全周で対向する複数の
ボビンと、該ボビンに巻き付けられた３系統の導線と、前記ホルダーの中心を前記シャフ
トと同軸に貫通する貫通孔に挿入されたアースブラシと、前記ホルダーの貫通孔に挿入さ
れ前記アースブラシの下端面頂部を前記シャフトの上端面に付勢するばねと、前記連結板
上に配置・固定され前記導線が結線されるプリント基板と、該プリント基板の裏面に前記
マグネットの円周部分の真上に位置して実装されたＰＧ検出用インダクタと、を備えた回
転磁気ヘッド装置において、ビスにより前記連結板に対して、上から前記プリント基板を
、下から前記ホルダー及び前記ステータを一体に固定するとともに、前記連結板の下面に
より前記ばねを付勢することを特徴としている。
【００１３】
ホルダーの形状例として、中央部に貫通孔を有する筒部と、下面に円周に沿って形成さ
れた環状壁部と備えたものとすることができる。こうすることで、筒部の側面と、環状壁
部の下端及び側面に当接して、前記ステータを確実に取り付けることができる。また、ホ
ルダーの筒部の内面下端部をテーパー形状に絞り加工することにより、挿通孔に挿入され
たリベット状のアースブラシがテーパー部で引っかかり、落下を防止することができる。
【考案の効果】
【００１４】
本考案によると、連結板の下面によりばねに付勢力が与えられるため、従来のような押
さえ板が不要となり、連結板及びプリント基板に貫通孔を設ける必要もなくなり、部品費
及び加工費が安くつく。さらに、押さえ板を連結板に対して固定するビスも不要になり、
１種類のビスにより連結板に対してプリント基板、ホルダー及びステータを一体に固定す
ることが可能となり、部品数の削減が図られる。
【考案を実施するための最良の形態】
【００１５】
図１、図２は本考案の実施の一形態である回転磁気ヘッド装置を示すものである。これ
らの図において、図３、図４に示す従来の構成と同一部分に同一符号を伏してその説明を
省略する。
【００１６】
ホルダー２５は、軽量化と材料費削減のため、円周の径を従来よりも小さくして、円周
の外へボス部２９を延設した平面形状であり、中央部にシャフト８と同軸に設けられた貫
通孔２５ａを有する筒部３０を形成し、下面に円周に沿って環状壁部３１を形成している
。そして、筒部３０の側面と、環状壁部３１の下端及び側面に当接して、同心円形状のス
テータ３２を取り付けている。筒部３０の内面下端部は、テーパー形状に絞り加工されて
おり、組み立て時に貫通孔２５ａに挿入されたリベット形状をしたアースブラシ２６がテ
ーパー部３０ａで引っかかって、落下しない形状になっている。
【００１７】
ホルダー２５の中央部に貫設した貫通孔２５ａには、円柱体状アースブラシ２６とばね
２７が挿入される。そして、連結板１０上には、プリント基板３が配置され、３本のビス
１８により連結板１０に対して、上からプリント基板３が、下からホルダー２５及びステ
ータ３２が一体に固定されている。これにより、連結板１０の下面にばね２７が押さえら
れ、アースブラシ２６の下端面頂部がシャフト８の上端面にばね２７により押し付けられ
ている。
【００１８】
上記構成によれば、連結板１０の下面によりばね２７に付勢力が与えられるため、従来
のような押さえ板が不要となり、連結板１０及びプリント基板３に貫通孔を設ける必要も
なくなり、部品費及び加工費が安くつく。さらに、押さえ板を連結板１０に対して固定す
るビスも不要になり、１種類のビス１８により連結板１０に対してプリント基板３、ホル
ダー２５及びステータ３２を一体に固定することが可能となり、部品数の削減が図られる
。
【産業上の利用可能性】
【００１９】
本発明は、回転磁気ヘッド装置に関するものであり、家庭用のビデオデッキなどに搭載
して、駆動モータにより回転シリンダを高速回転駆動することで、回転シリンダと固定シ
リンダの外周面に沿って走向する磁気テープに対して磁気ヘッドにより情報を記録再生す
ることができる。
【図面の簡単な説明】
【００２０】
【図１】は、本考案に係る回転磁気ヘッド装置の断面図である。
【図２】は、同上回転磁気ヘッド装置の一部を透視して示す上面図である。
【図３】は、従来の回転磁気ヘッド装置の一例の断面図である。
【図４】は、同上回転磁気ヘッド装置の一部を透視して示す上面図である。
【符号の説明】
【００２１】
１    磁気ヘッド
２    回転シリンダ
３    プリント基板
４    固定シリンダ
５    ビス
６    シャフト挿通孔
８    シャフト
９    連結枠
１０  連結板
１１  マグネット
１２，１３  固定コイル
１４  接点
１７  スラスト軸受
１８  ビス
２０  環状壁部
２１  オイル溜部
２２  駆動モータ
２３  ロータプレート
２５  ホルダー
２６  アースブラシ
２７  ばね
２９  ボス部
３０  筒部
３１  環状壁部
３２  ステータ
３６  ボビン
３７，３８，３９  導線
【図１】
0003101608.tif 000003
【図２】
0003101608.tif 000004
【図３】
0003101608.tif 000005
【図４】
0003101608.tif 000006